【事件の表示】
　平成９年特許願第１２６０６３号「コンセント付き引掛シーリング」拒絶査定不服審判事件〔平成１０年１２月４日出願公開、特開平１０−３２１０２９号〕について、次のとおり審決する。
【結　論】
　本件審判の請求は、成り立たない。
【理　由】
１．手続の経緯・本願発明
　本願は、平成９年５月１５日の出願であって、その請求項１に係る発明は、平成１５年１１月４日付けの手続補正によって補正された特許請求の範囲の請求項１に記載された事項により特定される次のとおりである。（以下、「本願発明」という。）
「施工面に固定される器体と、互いに対向して差込刃受部を形成して差込形プラグに設けた平板状の差込栓刃を狭持する一対のばね片、及び両ばね片間を連結する連結片、並びに鎖錠ばねとともに端子部を構成する端子片を連続一体に備える刃受部材と、引掛プラグに設けた鉤状の引掛栓刃を保持する引掛刃受部とを備え、前記端子部は、器体に挿入される外部電線を前記鎖錠ばねの力を用いて保持するとともに、前記外部電線、前記引掛刃受部および前記差込刃受部に電気的に接続され、複数個の前記刃受部材が器体内に収納されるとともに各刃受部材を収納する刃受部材収納室が器体に設けた仕切壁により互いに分離され、引掛栓刃を挿入する引掛栓刃挿入口が器体の内外を連通させる形で各刃受部材収納室ごとに開口し、器体の内周面において引掛栓刃挿入口が開口する面には、各刃受部材収納室ごとに水抜き溝が形成され、各水抜き溝の一部はそれぞれ引掛栓刃挿入口に連続していることを特徴とするコンセント付き引掛シーリング。」
　
２．引用刊行物
（１）引用刊行物１
　これに対して、原査定の拒絶の理由に引用された、本願出願前に頒布された特開昭６３−２９８９０７号公報（以下、「引用刊行物１」という。）には、第１〜８図とともに以下の事項が記載されている。
ア．「本発明はシーリングローゼットに係り、シーリングローゼット本体をサポートを介して天井面などの被取付け面に取付けるものに関する。」（第１頁右欄第３〜５行）
イ．「１０はシーリングローゼット本体で、合成樹脂にて成型された本体部１１とプレート部１２とにて構成されている。この本体部１１は、上方に突出しかつ下面に開口した突部１３の一側には一対の電源電線挿通孔１４が、他側には一対の送り配線電線挿通孔１５がそれぞれ形成された端子配設部１６が設けられている。そして、この各端子配設部１６にはそれぞれ各電線挿通孔１４，１５から挿通された電源電線と送り配線電線とを鎖錠接続するばね片で形成された自己鎖錠端子片１７がそれぞれ配設されている。そしてこの端子配設部１６にはこの一方の電源電線挿通孔１４と送り配線電線挿通孔１５との内側にそれぞれ配設された自己鎖錠端子片１７と電線を挟着して電気的に接続される一方の端子板部１８と、他方の電源電線挿通孔１４と送り配線電線挿通孔１５とにそれぞれ配設された自己鎖錠端子片１７と電線を挟着して電気的に接続される他方の端子板部１８を有し、そしてこの各端子板部１８は前記突部１３の空間１９に配設される差込みプラグの栓刃受け部２０と前記突部１３の側方に突出されるシーリングキャップの引掛け刃受け部２１とが一体に形成され、この両端子板部１８と一体の差込みプラグの栓刃受け部２０は前記突部１３の一対の電源電線挿通孔１４と一対の送り配線電線挿通孔１５との間に位置して配設され、両端子板部１８と一体のシーリングキャップの引掛け刃受け部２１は前記突部１３の両側に一体に形成した本体部１１の両引掛け刃受け配設部２２にそれぞれ配設されている。また前記端子配設部１６には前記自己鎖錠端子片１７による電線挟着を解除する解除ボタン２３が突部１３の上面に露出して設けられている。
　次に前記本体部１１の端子配設部１６の下面開口部を覆ってこの本体部１１を取付けるプレート部１２は上面を開口した略偏平皿状に形成され、このプレート部１２の中央部には前記本体部１１が配設され、この本体部１１はねじ２４にてプレート部１２内に固定されている。またこのプレート部１２の底面には前記本体部１１の端子配設部１６に組込んだ端子板部１８の差込みプラグの栓刃受け部１７に差込み接触される一対の栓刃挿入孔２５と前記シーリングキャップの引掛け刃受け配設部２２に配設された引掛け刃受け部２１に引掛け係合されるシーリングキャップの引掛け端子刃を挿入する挿入孔２６が対称位置に対をなして形成され、この各挿入孔２６の一端部は引掛け刃を挿入する広幅孔部２７に形成され、この広幅孔部２７に連続して円弧状の細幅孔部２８に形成されている。またこのプレート部１２の周縁部２９の上縁は天井面などの取付け面に当接する取付け縁３０に形成されている。」（第２頁左下欄第１４行〜第３頁右上欄第２行）
ウ．「電線を接続するときには、電線の先端被覆部を剥離し、電線の芯線を電源電線挿通孔１４および送り配線電線挿通孔１５にそれぞれ挿通し、各電線を自己鎖錠端子片１７と端子板部１８とにて挟着接続する。そして被取付け面例えば、天井面に固着されている止めねじ３９の径大頭部などの径大係止部４０にサポート３１の係合孔３４の拡径孔部３５から挿入してシーリングローゼット本体１０を回動すると、係合孔３４の係止孔部３６に止めねじ３９の係止部４０が係合されてサポート３１は天井面に取付けられる。そしてシーリングローゼット本体１０のプレート部１２をサポート３１に嵌合してねじ３３にてサポート３１に固着し、天井面に開口されている埋め込み孔に本体部１１の突部１３を挿入配置し、プレート部１２の周縁部２９の上縁の取付け縁３０は天井面に当接され、天井面にシーリングローゼット本体１０は固定される。」（第３頁左下欄第２〜１８行）
　上記ア．〜ウ．の記載事項及び図面の図示内容を総合すると、引用刊行物１には、以下の発明（以下、「引用発明」という。）が記載されていると認められる。
「天井面などの被取付け面にサポートを介して取付けるシーリングローゼット本体１０と、差込みプラグの栓刃受け部２０、自己鎖錠端子片１７と電線を挟着して電気的に接続される端子板部１８及びシーリングキャップの引掛け刃受け部２１が一体に形成され、２つの一体に形成された栓刃受け部２０、端子板部１８及び引掛け刃受け部２１がプレート部１２と本体部１１からなるシーリングローゼット本体１０内に配設され、プレート部１２の底面にはシーリングキャップの引掛け端子刃を挿入する挿入孔２６が対称位置に対をなして形成され、差込みプラグが差込み接触される一対の栓刃挿入孔２５が配設された引掛け係合されるシーリングローゼット。」
　
（２）引用刊行物２
　同じく引用された、本願出願前に頒布された特開平５−１２０９１０号公報（以下、「引用刊行物２」という。）には、図１〜９とともに以下の事項が記載されている。
ア．「【請求項１】　天井面に取着され引掛栓刃を挿入回転して接続具が装着される配線器具において、引掛栓刃が接触接続される一対の接触ばねを同一の形状としたことを特徴とする配線器具。
【請求項２】　ケースの中心に対して穿設された一対の取付穴の側方に一対の第２の取付穴を穿設したことを特徴とする請求項１記載の配線器具。
【請求項３】　天井裏面からの電線が挿入される電線挿入部に電線の挿入をガイドする筒状のガイド部を設け、このガイド部の側部に水抜きを兼ねたスリットを形成したことを特徴とする請求項１記載の配線器具。」（特許請求の範囲）
イ．「本発明は、天井面に取着され引掛栓刃を挿入回転して接続具が装着される配線器具に関するものである。」（段落【０００１】）
ウ．「カバー１８の上面には凸状の電線挿入部２１が形成されており、電線挿入部２１には電線が挿入される電線挿入孔２２が上下に貫通して形成されている。」（段落【００１３】）
エ．「更に、請求項３では、天井裏面からの電線が挿入される電線挿入部に電線の挿入をガイドする筒状のガイド部を設け、このガイド部の側部に水抜きを兼ねたスリットを形成していることにより、外部から浸入した水をスリットを介して排出できると共に、電線の結線状態が確認し易くなる。」（段落【００２０】）
　
３．対比・判断
　本願発明と引用発明とを対比すると、後者の「天井面などの被取付け面」は、その機能・構成からみて、前者の「施工面」に相当し、以下同様に、後者の「シーリングローゼット本体１０」は前者の「器体」に、後者の「天井面などの被取付け面にサポートを介して取付けるシーリングローゼット本体１０」は前者の「施工面に固定される器体」に、後者の「差込みプラグ」は前者の「差込形プラグ」に、後者の「差込みプラグの栓刃」は前者の「差込形プラグに設けた平板状の差込栓刃」に、後者の「差込みプラグの栓刃受け部２０」は前者の「差込刃受部」に、後者の「自己鎖錠端子片１７」は前者の「鎖錠ばね」に、後者の「端子板部１８」は前者の「端子片」に、後者の「電線」は前者の「外部電線」に、後者の「自己鎖錠端子片１７と電線を挟着して電気的に接続される端子板部１８」は前者の「鎖錠ばねとともに端子部を構成する端子片」に、後者の「シーリングキャップの引掛け刃受け部２１」は前者の「引掛プラグに設けた鉤状の引掛栓刃を保持する引掛刃受部」に、後者の「シーリングキャップの引掛け端子刃を挿入する挿入孔２６」は前者の「引掛栓刃挿入口」に、後者の「プレート部１２の底面」は前者の「器体の内周面において引掛栓刃挿入口が開口する面」に、後者の「差込みプラグが差込み接触される一対の栓刃挿入孔２５が配設された引掛け係合されるシーリングローゼット」は前者の「コンセント付き引掛シーリング」にそれぞれ相当する。
　また、後者の「差込みプラグの栓刃受け部２０、自己鎖錠端子片１７と電線を挟着して電気的に接続される端子板部１８及びシーリングキャップの引掛け刃受け部２１が一体に形成さ」る態様は、前者の「差込刃受部」「並びに鎖錠ばねとともに端子部を構成する端子片を連続一体に備える刃受部材」を有する態様に対応するとともに、後者の「端子板部１８」は「自己鎖錠端子片１７と電線を挟着して電気的に接続される」のであるから、前者と同様に「前記端子部は、器体に挿入される外部電線を前記鎖錠ばねの力を用いて保持するとともに、前記外部電線、前記引掛刃受部および前記差込刃受部に電気的に接続され」るものと認められる。
　さらに、後者の「２つの一体に形成された栓刃受け部２０、端子板部１８及び引掛け刃受け部２１がプレート部１２と本体部１１からなるシーリングローゼット本体１０内に配設され」る態様は、前者の「複数個の前記刃受部材が器体内に収納される」態様に相当するとともに、後者も前者と同様に「各刃受部材を収納する刃受部材収納室」を有するといえ、後者の「シーリングキャップの引掛け端子刃を挿入する挿入孔２６」は、引掛け端子刃を挿入するために当然、前者と同様に「引掛栓刃を挿入する引掛栓刃挿入口が器体の内外を連通させる形で」「刃受部材収納室」「に開口し」ていることは明らかである。
　そうすると、両者は、「施工面に固定される器体と、差込刃受部並びに鎖錠ばねとともに端子部を構成する端子片を連続一体に備える刃受部材と、引掛プラグに設けた鉤状の引掛栓刃を保持する引掛刃受部とを備え、前記端子部は、器体に挿入される外部電線を前記鎖錠ばねの力を用いて保持するとともに、前記外部電線、前記引掛刃受部および前記差込刃受部に電気的に接続され、複数個の前記刃受部材が器体内に収納されるとともに各刃受部材を収納する刃受部材収納室を有し、引掛栓刃を挿入する引掛栓刃挿入口が器体の内外を連通させる形で刃受部材収納室に開口しているコンセント付き引掛シーリング。」である点で一致し、以下の点で相違しているものと認められる。
　
（１）刃受部材に関して、本願発明は「互いに対向して差込刃受部を形成して差込形プラグに設けた平板状の差込栓刃を狭持する一対のばね片、及び両ばね片間を連結する連結片、並びに鎖錠ばねとともに端子部を構成する端子片を連続一体に備える」のに対して、引用発明は「差込刃受部並びに鎖錠ばねとともに端子部を構成する端子片を連続一体に備える」ものの、差込刃受部が本願発明のような発明特定事項により特定されるものではない点。
（２）刃受部材収納室に関して、本願発明は「各刃受部材を収納する刃受部材収納室が器体に設けた仕切壁により互いに分離され、」「器体の内周面において引掛栓刃挿入口が開口する面には、各刃受部材収納室ごとに水抜き溝が形成され、各水抜き溝の一部はそれぞれ引掛栓刃挿入口に連続している」のに対して、引用発明はそのような発明特定事項により特定されるものではない点。
　
　そこで、上記相違点について検討する。
Ａ．相違点（１）について
　差込形プラグに設けた平板状の差込栓刃を差込む差込刃受部を、「互いに対向して差込刃受部を形成して差込形プラグに設けた平板状の差込栓刃を狭持する一対のばね片、及び両ばね片間を連結する連結片」から構成することは、例えば、特開平７−２１１４１２号公報等に示されるように、コンセントの受け刃として周知のものにすぎない。
　そうすると、引用発明の差込刃受部の形状として上記周知の事項を適用し、本願発明の相違点（１）に係る発明特定事項とすることは当業者が容易になし得ることと認められる。
　
Ｂ．相違点（２）について
　コンセント、端子板、配電盤、シーリングローゼット等、建物に取り付けられて電気・配線等を扱うものにおいて、結露や外部からの水の侵入に対処するために、短絡を防止するように仕切壁等の分離構造を採用することや、内部に入った水分を排出するための溝や穴を設けることは、例えば、特開平６−１４４３６号公報等に示されているように周知の事項である。
　また、引用刊行物２に記載の引掛シーリングにおいても、外部より侵入しようとする水に対処することが示されており、上記周知の技術を引用発明に適用することは、当業者が普通に想到し得ることである。
　そして、引用発明においては、２つの刃受部材が刃受部材収納室に収納され、その下面であるプレート部１２の底面には、各刃受部材に接続される引掛刃受部のそれぞれに対応した、引掛栓刃挿入口が開口しているのであるから、２つの刃受部材を分離するように仕切壁を設け、水分を排出する開口を下面に設けられる引掛栓刃挿入口と兼用することは、当業者が上記周知の事項を適用して適宜なし得ることと認められる。
　さらに、溝を設けることは水を流れ易くするための常套手段にすぎず、上記するように仕切壁で刃受部材収納室が分離されているのであるから、引掛栓刃挿入口へ連続する水抜き溝を各刃受部材収納室ごとに設けることも、上記のように構成するに際して、当業者が適宜なし得る設計的事項といわざるを得ない。下面に設けられる大きな開口である引掛栓刃挿入口を水分を排出する開口として作用させることが、当業者にとって格別の困難性を要するものとはいえない。
　そうすると、引用発明に引用刊行物２に記載の事項及び上記周知の事項を適用し、本願発明の相違点（２）に係る発明特定事項とすることは当業者が容易になし得ることとと認められる。
　
　そして、上記相違点（１）及び（２）を合わせ考えても、本願発明の効果が格別であるとはいえない。
　
４．むすび
　したがって、本願発明は、引用発明並びに引用刊行物２に記載の事項及び周知の事項に基いて当業者が容易に発明をすることができたものであるから、特許法第２９条第２項の規定により特許を受けることができない。
　よって、結論のとおり審決する。